(57)【要約】      （修正有）【課題】発生する水分の除湿機能も充分に満足できるものになりにくいという問題点を改善し、段ボール箱の強度を維持しつつも、制作コストが低く廃棄も容易で、さらに連続的に使用しても効果がなるべく持続する段ボール箱を実現する。【解決手段】折り畳み可能な、蓋付きの大（外箱）段ボール・小（中箱）段ボールの二つの段ボールを入れ子式に重ね合わせて用い、段ボールの板材自体が持っている保温・保冷効果と水分浸透・蒸散効果による除湿・保湿効果を、最大限に利用するとともに、入れ子式段ボール箱（大箱・外側の箱）の角の部分の形状と、入れ子式段ボール箱（大箱・外側の箱）の底の形状の考案によって、これら二つの段ボールの間の空間を十分に確保し、なおかつ箱としての強度を保持させることができる。【選択図】図４
0003142287.tif 000002
【実用新案登録請求の範囲】
【請求項１】
折り畳み可能な二つのサイズの異なる段ボール箱を入れ子式に用いて重ね、温度や湿度の変化する物体・物質を収納するために、入れ子式に重ねた段ボール箱の間に空間をもたせるための、段ボール本体の基本的な構造を考案したこと。
【考案の詳細な説明】
【技術分野】
【０００１】  この考案は、入れ子方式で使用する二つの段ボールの構造に関する。
【背景技術】
【０００２】  温度や湿度の変化する物体・物質を収納する段ボールには、次のような段ボール、もしくは段ボールを用いた構造が提案されている。
【特許文献１】  特許公開２００５−２８０７２８
【特許文献２】  特許公開２００５−５５１３３
【特許文献３】  特許公開２００５−１４９８９
【特許文献４】  特許公開２００３−２８５８８３
【特許文献５】  特許公開２００３−６３５７０
【特許文献６】  特許公開２００２−１２８０６９
【特許文献７】  特許公開２００１−１８９５１
【特許文献８】  特許公開２０００−３４４２２７
【特許文献９】  特許公開平１１−１５７５２９
【特許文献１０】  登録実用新案第３０４５２６３号
【考案の開示】
【考案が解決しようとする課題】
【０００３】  材料＝段ボールの効率的利用と、使用後の廃棄・再資源化が容易とすることを課題としている。【０００４】  段ボールに温度や湿度の変化する物体・物質を収納する際、段ボールの板材自体に作られている空気の層による保温・保冷効果と、段ボールの板材の材質自体が持っている水分浸透・蒸散効果による除湿・保湿効果を効果的に利用して、収納する物体・物質の温度・湿度をできるだけ一定に維持するとを課題としている。【０００５】  段ボールに入れる物体・物質として、温度や湿度の変化する物体・物質は、放置しておく際に、周囲の気温や湿度に応じて、水分を発生させることがあり、また、物体・物質もの自体が熱を発生しなくとも、その場所の気温や湿度の時間が経過することによる変化によって、空気中より水分を発生させることがある。従来の考案では、段ボール箱と温度や湿度の変化する物体・物質との間や底面とのの空間を多くとることが困難であったため、段ボールに入れたまま放置したり、運搬したりできる物体・物質に制限があった。本考案では、その制限をできるだけ少なくすることを課題としている。【０００６】  従来よりある温度や湿度の変化する物体・物質を入れる段ボール箱では、温度や湿度の変化する物体・物質を入れる中箱と、外側にある外箱との間の空間の距離を長くすると、入れ物としての段ボールの強度が弱くなってしまったり、材料が多くなってしまうため、段ボールに入れる物体・物質に制限があり、水分の除湿機能も充分に満足できるものになりにくいという問題点があった。本考案では制作コストが低く、さらに効果ができるだけ持続することを課題としている。
【課題を解決するための手段】
【０００７】  上記の課題を解決するため、この考案においては、段ボールに温度や湿度の変化する物体・物質を収納する際、折り畳み可能な、蓋付きの大（外箱）段ボール・小（中箱）段ボールの二つの段ボールを入れ子式に重ね合わせて用い、段ボールの板材自体が持っている空気の層による保温・保冷効果と、段ボールの板材の材質自体が持っている水分浸透・蒸散効果による除湿・保湿効果を、入れ子式の２重構造にすることにより有効に利用するとともに、これら二つの段ボールの間の空間を十分に確保して除湿を促し、なおかつ箱としての強度を保持させるための構造を提案するものである。
【考案の効果】
【０００８】  以上説明したように本考案によれば、入れ子式となっている二重構造の段ボールの、中箱段ボールに段ボールに温度や湿度の変化する物体・物質を収納すると、物体・物質自体の温度変化とその場所の気温や湿度に応じて発生した湿度の調節を、段ボールの板材自体が持っている空気の層による保温・保冷効果と、段ボールの板材の材質自体が持っている水分浸透・蒸散効果による除湿・保湿効果、ならびに二つの段ボールの間の空間を通る空気にふれることよって、浸透・蒸散・蒸発することで調節するのに極めて有効である。また本考案によれば、箱の材質が全て段ボール材であることにより、使用後の廃棄も容易であり、構造的にも箱としての強度を十分に保持していて、さらに持ち運びも容易であり、設置場所にも制限が少ないため極めて有効である。
【考案を実施するための最良の形態】
【０００９】  以下、本考案の実施の形態を図面に基づき詳細に説明する。【００１０】  図面を参照して本考案の入れ子式段ボール箱を説明する。本考案は、図１・図２の２つの独立した段ボールを素材とするものからできている。【００１１】  図１に示す、入れ子式段ボール箱（大箱・外側の箱）は、１：蓋の部分と２：物体・物質を入れる部分が組み立て式で一体化する段ボール箱である。同様に、図２に示す本考案に係わる入れ子式段ボール箱（中箱・内側の箱）は、３：蓋の部分と４：物体・物質を入れる部分が一体化してる段ボール箱である。本考案の入れ子式段ボール箱は、図１に示す入れ子式段ボール箱（大箱・外側の箱）の中に、図２に示す入れ子式段ボール箱（中箱・内側の箱）を入れて使用するものである。【００１２】  図４に示すように、本考案の入れ子式段ボール箱の、入れ子式段ボール箱（大箱・外側の箱）と、入れ子式段ボール箱（中箱・内側の箱）を入れ子式に重ね合わせる際には、入れ子式段ボール箱（大箱・外側の箱）に作られているの角の部分の形状（図４内の６の指し示す部分）に合わせて、入れ子式段ボール箱（中箱・内側の箱）を中側に重ね合わせて使用する。そうすることで、入れ子式段ボール箱（大箱・外側の箱）と、入れ子式段ボール箱（中箱・内側の箱）との間に空間ができ、入れ子式段ボール箱（大箱・外側の箱）の中で入れ子式段ボール箱（中箱・内側の箱）を保持することを容易にしている。【００１３】  図５に示すように、本考案の入れ子式段ボール箱の、入れ子式段ボール箱（大箱・外側の箱）と、入れ子式段ボール箱（中箱・内側の箱）を入れ子式に重ね合わせる際には、入れ子式段ボール箱（大箱・外側の箱）の中の底の中央部分に、図３に示したような、重量にたえうるための補強部材を入れて使用することが可能である。入れ子式段ボール箱（大箱・外側の箱）の図５内の７の指し示す部分の底の形状と、図３に示した補強部材により、入れ子式段ボール箱（大箱・外側の箱）と、入れ子式段ボール箱（中箱・内側の箱）の底の部分の間に空間を作ることが一層容易である。
【図面の簡単な説明】
【００１４】
【図１】本考案に係わる入れ子式段ボール箱（大箱・外側の箱）の概念図
【図２】本考案に係わる入れ子式段ボール箱（中箱・内側の箱）の概念図
【図３】本考案に係わる入れ子式段ボール箱の部材の概念図
【図４】本考案に係わる入れ子式段ボール箱を組み合わせた際の概念図（側断面図）
【図５】本考案に係わる入れ子式段ボール箱を組み合わせた際の概念図（平断面図）
【符号の説明】
【００１５】  １    入れ子式段ボール箱（大箱・外側の箱）の蓋部分
２    入れ子式段ボール箱（大箱・外側の箱）の物体・物質を入れる部分
３    入れ子式段ボール箱（中箱・内側の箱）の蓋部分
４    入れ子式段ボール箱（中箱・内側の箱）の物体・物質を入れる部分
５    入れ子式段ボール箱の補強部材
６    入れ子式段ボール箱（大箱・外側の箱）の角の部分の形状
７    入れ子式段ボール箱（大箱・外側の箱）の底の部分の形状
【図１】
0003142287.tif 000003
【図２】
0003142287.tif 000004
【図３】
0003142287.tif 000005
【図４】
0003142287.tif 000006
【図５】
0003142287.tif 000007
【手続補正書】
【提出日】平成20年2月13日(2008.2.13)
【手続補正１】
【補正対象書類名】実用新案登録請求の範囲
【補正対象項目名】全文
【補正方法】変更
【補正の内容】
【実用新案登録請求の範囲】
【請求項１】
折り畳み可能な、大（外箱）段ボール箱・小（中箱）段ボール箱の二つの段ボール箱を入れ子式に用いて重ね、その二つの段ボール箱の間の底の部分に格子状に組んだ段ボール製の部材を入れることと、大（外箱）段ボール箱の側面の角の部分に切り込みを入れ、形状がジグザグになるように内側に折り込んだ部分に、小（中箱）段ボール箱の側面の角を合わせることで、入れ子式に重ねた段ボール箱同士の間に空間をもたせたことを特徴とする入れ子式段ボール箱。
【手続補正２】
【補正対象書類名】明細書
【補正対象項目名】全文
【補正方法】変更
【補正の内容】
【考案の詳細な説明】
【技術分野】
【０００１】  この考案は、二つの段ボール箱を組み合わせた、入れ子式の段ボール箱に関する。
【背景技術】
【０００２】  温度や湿度の変化する物体・物質を収納する段ボール箱には、次のような段ボール箱、もしくは段ボールを用いた構造が提案されている。
【特許文献１】  特許公開２００５−２８０７２８
【特許文献２】  特許公開２００５−５５１３３
【特許文献３】  特許公開２００５−１４９８９
【特許文献４】  特許公開２００３−２８５８８３
【特許文献５】  特許公開２００３−６３５７０
【特許文献６】  特許公開２００２−１２８０６９
【特許文献７】  特許公開２００１−１８９５１
【特許文献８】  特許公開２０００−３４４２２７
【特許文献９】  特許公開平１１−１５７５２９
【特許文献１０】  登録実用新案第３０４５２６３号
【考案の開示】
【考案が解決しようとする課題】
【０００３】  材料＝段ボールの効率的利用と、使用後の廃棄・再資源化が容易とすることを課題としている。【０００４】  段ボール箱に温度や湿度の変化する物体・物質を収納する際、段ボール箱の板材自体に作られている空気の層による保温・保冷効果と、段ボール箱の板材の材質自体が持っている水分浸透・蒸散効果による除湿・保湿効果を効果的に利用して、収納する物体・物質の温度・湿度をできるだけ一定に維持するとを課題としている。【０００５】  段ボール箱に入れる物体・物質として、温度や湿度の変化する物体・物質は、放置しておく際に、周囲の気温や湿度に応じて、水分を発生させることがあり、また、物体・物質もの自体が熱を発生しなくとも、その場所の気温や湿度の時間が経過することによる変化によって、空気中より水分を発生させることがある。従来の考案では、外側の段ボール箱と温度や湿度の変化する物体・物質を入れた段ボール箱との側面や底面との空間を多くとることが困難であったため、段ボール箱に入れたまま放置したり、運搬したりできる物体・物質に制限があった。本考案では、その制限をできるだけ少なくすることを課題としている。【０００６】  従来よりある、温度や湿度の変化する物体・物質を入れる段ボール箱では、温度や湿度の変化する物体・物質を入れると、発生する水分や湿気により、入れ物としての段ボール箱の強度が弱くなってしまっていたため、段ボールに入れる物体・物質に制限があったり、水分の除湿機能も充分に満足できるものになりにくいという問題点があった。本考案では制作コストが低く、さらに効果ができるだけ持続する入れ子式段ボール箱を考案することを課題としている。
【課題を解決するための手段】
【０００７】  上記の課題を解決するため、この考案においては、段ボール箱に温度や湿度の変化する物体・物質を収納する際、折り畳み可能な、蓋付きの大（外箱）段ボール箱・蓋付きの小（中箱）段ボール箱の二つの段ボールを入れ子式に重ね合わせて用い、段ボールの板材自体が持っている空気の層による保温・保冷効果と、段ボール箱の板材の材質自体が持っている水分浸透・蒸散効果による除湿・保湿効果を利用する。そしてその二つの段ボール箱の間に、格子状に組んだ段ボール製の部材を下に入れることと、大（外箱）段ボール箱の側面の角の部分に切り込みを入れ、形状がジグザグになるように内側に折り込んだ部分に、小（中箱）段ボール箱の側面の角を合わせ、入れ子式に重ねた段ボール箱同士の間に空間をもたせることで、小（中箱）段ボール箱の中に重量のある物体を入れた場合でも箱としての強度を保持させ、段ボール箱同士の間に空気を取り入れることが可能な入れ子式段ボール箱を提案するものである。
【考案の効果】
【０００８】  以上説明したように本考案によれば、入れ子式となっている二重構造の段ボール箱の小（中箱）段ボール箱に、温度や湿度の変化する物体・物質を収納すると、物体・物質自体の温度変化とその場所の気温や湿度に応じて発生した湿度の調節を、段ボール箱の板材自体が持っている空気の層による保温・保冷効果と、段ボール箱の板材の材質自体が持っている水分浸透・蒸散効果による除湿・保湿効果において、二つの段ボール箱の間の空間を通る空気に、小（中箱）段ボール箱の天面・側面・底面全ての面がふれることよって、浸透・蒸散・蒸発をすることが極めて有効である。また本考案によれば、箱の材質が全て段ボール材であることにより、使用後の廃棄も容易であり、構造的にも箱としての強度を十分に保持していて、さらに持ち運びも容易であり、設置場所にも制限が少ないため極めて有効である。
【考案を実施するための最良の形態】
【０００９】  以下、本考案の実施の形態を図面に基づき詳細に説明する。【００１０】  図面を参照して本考案の入れ子式段ボール箱を説明する。本考案は、図１・図２の２つの蓋付きの段ボール箱と、図３の中箱を底上げするための補強部材からできている。【００１１】  図１に示す、大（外箱）段ボール箱は、１：蓋の部分と２：物体・物質を入れる部分の２つからなる段ボール箱である。大（外箱）段ボールの２：物体・物質を入れる部分の側面の角の部分には切れ込みが入っており、６：ジグザグに内側に折り込んだ部分が作られている。また、大（外箱）段ボールの２：物質を入れる部分の底面の角の部分には切れ込みが入っており、７：内側に逆向きに折り込んだ部分が作られている。図２に示す、小（中箱）段ボール箱は、３：蓋の部分と４：物体・物質を入れる部分が組み立て式で一体化する段ボール箱である。【００１２】  本考案の入れ子式段ボール箱は、図１に示す組み立てられた大（外箱）段ボール箱の内側の底（４辺に、７：内側に逆向きに折り込んだ部分がある）の中心に、図３に示す中箱を底上げするための格子状の補強部材を置き、その上に図２に示す小（中箱）段ボール箱を入れて使用するものである。図４は、大（外箱）段ボール箱の内側の底に、図３に示す中箱を底上げするための格子状の補強部材を置いた際の様子を表したものである。【００１３】  図５に示すように、本考案の入れ子式段ボール箱の、大（外箱）段ボール箱と、小（中箱）段ボール箱を入れ子式に重ね合わせる際には、大（外箱）段ボール箱に作られている側面の角の部分の形状（６：ジグザグに内側に折り込んだ部分）に合わせて、小（中箱）段ボール箱を中側に重ね合わせる。そうすることで、大（外箱）段ボール箱と、小（中箱）段ボール箱との間の空間を、安定して保持することができる。【００１４】  図６に示すように、本考案の入れ子式段ボール箱の、大（外箱）段ボール箱と、小（中箱）段ボール箱を入れ子式に重ね合わせる際には、小（中箱）段ボール箱に作られている底面の角の部分の形状（７：内側に逆向きに折り込んだ部分）に合わせて、小（中箱）段ボール箱を中側に重ね入れる。大（外箱）段ボール箱の底の中央部分には、図３に示す中箱を底上げするための格子状の補強部材を置いてあり、大（外箱）段ボール箱に作られている底面の角の部分の形状との高さに差が付けられていて、小（中箱）段ボール箱を安定して保持し、大（外箱）段ボール箱と小（中箱）段ボール箱との間の空間を保持することができる。
【図面の簡単な説明】
【００１５】
【図１】本考案に係わる大（外箱）段ボール箱の概念図
【図２】本考案に係わる小（中箱）段ボール箱の概念図
【図３】本考案に係わる中箱を底上げするための格子状の補強部材の概念図
【図４】本考案に係わる大（外箱）段ボール箱の底に、中箱を底上げするための格子状の補強部材を置いた際の概念図（平断面図）
【図５】本考案に係わる入れ子式段ボール箱を組み合せた際の概念図（平断面図）
【図６】本考案に係わる入れ子式段ボール箱を組み合せた際の概念図（側断面図）
【符号の説明】
【００１６】  １    大（外箱）段ボール箱の蓋部分
２    大（外箱）段ボール箱の物体・物質を入れる部分
３    小（中箱）段ボール箱の蓋部分
４    小（中箱）段ボール箱の物体・物質を入れる部分
５    中箱を底上げするための格子状の補強部材
６    大（外箱）段ボール箱の側面の角のジグザグに内側に折り込んだ部分
７    大（外箱）段ボール箱の底面の角の内側に逆向きに折り込んだ部分
【手続補正３】
【補正対象書類名】図面
【補正対象項目名】全図
【補正方法】変更
【補正の内容】
【図１】
0003142287.tif 000008
【図２】
0003142287.tif 000009
【図３】
0003142287.tif 000010
【図４】
0003142287.tif 000011
【図５】
0003142287.tif 000012
【図６】
0003142287.tif 000013